(57)【特許請求の範囲】
【請求項１】
サーバから受信する受信情報と移動表示情報とを一定の画面枠に表示する端末であって、
前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶手段と、
前記受信情報と前記移動表示情報とを時系列に受信する情報受信手段と、
前記情報受信手段が時系列に受信した受信情報と前記移動表示情報とを、前記一定の画面枠の一方の端部から他方の端部に向け、前記移動速度情報記憶手段が記憶する各情報の移動速度で移動させながら順次表示する情報表示手段とを備える端末。
【請求項２】
前記情報表示手段は、前記受信情報及び前記移動表示情報の表示位置が重なる場合は、前記受信情報を移動方向の前後に移動させることにより前記受信情報及び前記移動表示情報が重ならないように表示する請求項１に記載の端末。
【請求項３】
前記情報受信手段は、前記サーバから、前記移動表示情報とともに、当該移動表示情報を移動させる速度を指定する移動速度情報を受信し、
前記情報表示手段は、前記移動表示情報を表示する場合は、前記移動速度情報記憶手段が記憶する移動速度のうち、当該移動表示情報とともに受信した前記移動速度情報が指定する移動速度で移動させながら表示する請求項１又は請求項２に記載の端末。
【請求項４】
ユーザによる移動速度の指定操作に応じて、前記移動速度情報記憶手段が記憶する移動速度を変更する移動速度情報変更手段をさらに備える、請求項３に記載の端末。
【請求項５】
端末が、サーバから受信する受信情報と移動表示情報とを一定の画面枠に表示する方法であって、
前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶工程と、
前記受信情報と前記移動表示情報とを時系列に受信する情報受信工程と、
前記情報受信工程で時系列に受信した受信情報と前記移動表示情報とを、前記一定の画面枠の一方の端部から他方の端部に向け、前記移動速度情報記憶工程で記憶した各情報の移動速度で移動させながら順次表示する情報表示工程とを含む方法。
【請求項６】
サーバから受信する受信情報と移動表示情報とを、端末が有する一定の画面枠に表示させるためのプログラムであって、
前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶工程と、
前記受信情報と前記移動表示情報とを時系列に受信する情報受信工程と、
前記情報受信工程で時系列に受信した受信情報と前記移動表示情報とを、前記一定の画面枠の一方の端部から他方の端部に向け、前記移動速度情報記憶工程で記憶した各情報の移動速度で移動させながら順次表示する情報表示工程とを前記端末に実行させるためのプログラム。
【発明の詳細な説明】
【技術分野】
【０００１】
本発明は、サーバから受信する受信情報を表示する端末、方法及びプログラムに関する。
【背景技術】
【０００２】
近年では、ＴＷＩＴＴＥＲ（登録商標）等のサービスが急速に普及している（例えば、非特許文献１参照）。ＴＷＩＴＴＥＲ（登録商標）は、単にユーザがつぶやいた独り言の文字列等を通信ネットワークを介して受信して公衆に閲覧可能に記憶するだけのものであるが、所定のユーザのつぶやきを更新のつど閲覧したり（フォロー）、あるユーザのつぶやきに対して他のユーザがそれを引用して自らのつぶやきとしたり（リツイート）、所定のユーザのつぶやきに自らのコメントを追加して投稿したり（クオートツイート）することもできる。このように、さまざまな形態での応答が発展することにより、あたかも大勢で会話しているかのような感覚を与えることができる。
【０００３】
また、ＴＷＩＴＴＥＲ（登録商標）の魅力として、速報性の高さも挙げられる。例えば、どこかで地震が起こると、「地震だ！」というつぶやきが投稿され、このつぶやきに対し、フォロー、リツイート、クオートツイートが次々に行われる。その結果、地震が発生したことの情報をテレビのニュースやインターネットのニュースサイトよりも早く提供できる場合がある。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
しかし、既存の技術では、サーバから配信される情報を、配信された順に順次表示するだけである。そのため、複数の情報が短時間に多数配信されると、現在表示している情報を十分に確認できないまま、次の情報に切り替わってしまう可能性がある。
【０００６】
本発明は、複数の情報が短時間に多数配信された場合であっても、一定の情報については、その情報の内容を確実に伝えることの可能な端末、方法及びプログラムを提供することを目的とする。
【課題を解決するための手段】
【０００７】
本発明では、以下のような解決手段を提供する。
【０００８】
（１）  サーバから受信する受信情報と移動表示情報とを一定の画面枠に表示する端末であって、前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶手段と、前記受信情報と前記移動表示情報とを時系列に受信する情報受信手段と、前記情報受信手段が時系列に受信した受信情報と前記移動表示情報とを、前記一定の画面枠の一方の端部から他方の端部に向け、前記移動速度情報記憶手段が記憶する各情報の移動速度で移動させながら順次表示する情報表示手段とを備える端末。
【０００９】
（１）に記載の発明によれば、移動速度情報記憶手段は、受信情報を一定の画面枠の一方の端部から他方の端部に向けて移動させる移動速度と、移動表示情報を一定の画面枠の一方の端部から他方の端部に向けて移動させる移動速度であって、受信情報の移動速度よりも遅い移動速度とを記憶する。また、情報受信手段は、サーバから受信する受信情報と移動表示情報とを時系列に受信し、情報表示手段は、受信情報および移動表示情報を、一定の画面枠の一方の端部から他方の端部に向けて、移動速度情報記憶手段が記憶する各情報の移動速度で移動させながら順次表示する。これにより、受信情報が一定の画面枠内を移動する速度よりも遅い移動速度が指定された移動表示情報については、受信情報よりも時間をかけて移動するため、一定の時間が経過しても、その画面枠から外れることなく、画面枠内で表示し続ける。したがって、指定された移動速度に応じて、ユーザに対し、移動表示情報の内容を確実に伝えることができる端末を提供できる。
【００１０】
（２）  前記情報表示手段は、前記受信情報及び前記移動表示情報の表示位置が重なる場合は、前記受信情報を移動方向の前後に移動させることにより前記受信情報及び前記移動表示情報が重ならないように表示する（１）に記載の端末。
【００１１】
（２）に記載の発明によれば、受信情報の移動速度と移動表示情報の移動速度とが異なる場合であっても、これらの情報の視認性が劣ることのない端末を提供できる。
【００１２】
（３）  前記情報受信手段は、前記サーバから、前記移動表示情報とともに、当該移動表示情報を移動させる速度を指定する移動速度情報を受信し、前記情報表示手段は、前記移動表示情報を表示する場合は、前記移動速度情報記憶手段が記憶する移動速度のうち、当該移動表示情報とともに受信した前記移動速度情報が指定する移動速度で移動させながら表示する（１）又は（２）に記載の端末。
【００１３】
（３）に記載の発明によれば、例えば、商品又は役務の広告等、ユーザに確実に視認してほしい移動速度情報については、速度を遅く指定することで、ユーザに対し、その移動速度情報の内容を確実に伝えることができる端末を提供できる。
【００１４】
（４）  ユーザによる移動速度の指定操作に応じて、前記移動速度情報記憶手段が記憶する移動速度を変更する移動速度情報変更手段をさらに備える、（３）に記載の端末。
【００１５】
（４）に記載の発明によれば、ユーザにとって重要な情報であるにも関わらず、他に比べて遅い移動速度に定められていない場合は、ユーザ自身の指定操作によって、その情報を、他に比べて遅い移動速度に指定できる。また、ユーザにとって重要な情報でないにも関わらず、他に比べて遅い移動速度に定められている場合は、ユーザ自身の指定操作によって、その情報を、他に比べて速い移動速度に指定できる。これにより、ユーザにとって重要な情報をいっそう確実に伝えることの可能な端末を提供できる。
【００１６】
（５）  端末が、サーバから受信する受信情報と移動表示情報とを一定の画面枠に表示する方法であって、前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶工程と、前記受信情報と前記移動表示情報とを時系列に受信する情報受信工程と、前記情報受信工程で時系列に受信した受信情報と前記移動表示情報とを、前記一定の画面枠の一方の端部から他方の端部に向け、前記移動速度情報記憶工程で記憶した各情報の移動速度で移動させながら順次表示する情報表示工程とを含む方法。
【００１７】
（６）  サーバから受信する受信情報と移動表示情報とを、端末が有する一定の画面枠に表示させるためのプログラムであって、前記受信情報を前記一定の画面枠の一方の端部から他方の端部に向けて移動させる移動速度と、前記移動表示情報を前記一定の画面枠の一方の端部から他方の端部に向けて移動させる移動速度であって、前記受信情報の移動速度よりも遅い移動速度とを記憶する移動速度情報記憶工程と、前記受信情報と前記移動表示情報とを時系列に受信する情報受信工程と、前記情報受信工程で時系列に受信した受信情報と前記移動表示情報とを、前記一定の画面枠の一方の端部から他方の端部に向け、前記移動速度情報記憶工程で記憶した各情報の移動速度で移動させながら順次表示する情報表示工程とを前記端末に実行させるためのプログラム。
【００１８】
（５）に記載の方法によれば、当該方法に係る発明を実施することにより、（１）と同様の効果が期待できる。また、（６）記載のプログラムによれば、当該プログラムに係る発明を実施することにより、（１）と同様の効果が期待できる。
【発明の効果】
【００１９】
本発明によれば、複数の受信情報が短時間に多数配信された場合であっても、これら複数の受信情報とは別に設けられた移動表示情報については、受信情報よりも遅い移動速度で、一定の画面枠の一方の端部から他方の端部に向けて移動させながら表示できる端末、方法及びプログラムを提供できる。すなわち、当該移動の際に、受信情報が一定の画面枠内を移動する速度よりも遅い移動速度が指定された移動表示情報については、受信情報よりも時間をかけて移動するため、一定の時間が経過しても、その画面枠から外れることなく、画面枠内で表示し続ける。したがって、指定された移動速度に応じて、ユーザに対し、移動表示情報の内容を確実に伝えることができる端末、方法及びプログラムを提供できる。 
【図面の簡単な説明】
【００２０】
【図１】本発明の第１及び第２の実施形態に係る端末１を説明するための全体構成を示す図である。
【図２】本発明の第１及び第２の実施形態に係る受信情報・移動表示情報データベース２１を示す図である。
【図３】本発明の第１の実施形態に係る移動速度情報データベース２２を示す図である。
【図４】本発明の第１及び第２の実施形態に係る端末１のフローチャートである。
【図５】本発明の第１の実施形態に係る端末１の画面枠３０での表示例を示す図である。
【図６】本発明の第２の実施形態に係る移動速度情報データベース２２を示す図である。
【図７】本発明の第２の実施形態に係る端末１の画面枠３０での表示例を示す図である。
【発明を実施するための形態】
【００２１】
＜第１実施形態＞
まず、本発明の第１の実施形態について図を参照しながら説明する。
【００２２】
［全体構成］
図１は、本実施形態に係る端末１を説明するための全体構成を示す図である。端末１は、情報配信サーバ２とネットワークを介して接続され、情報配信サーバ２から受信する受信情報を、一定の画面枠に表示する。
【００２３】
端末１は、制御部１０と、記憶部２０とを備える。制御部１０は、端末１に係る各機能を統括的に制御する部分であり、情報配信サーバ２から受信した受信情報を時系列に受信する情報受信部１１を備える。また、記憶部２０は、受信情報・移動表示情報データベース２１を備え、情報受信部１１が受信した受信情報の内容は、この受信情報・移動表示情報データベース２１に記憶される。これら情報受信部１１及び受信情報・移動表示情報データベース２１は、情報受信手段として機能する。
【００２４】
また、制御部１０は、情報受信部１１が時系列に受信した受信情報を、一定の画面枠の一方の端部から他方の端部に向けて移動させながら順次表示する受信情報表示部１２を備える。この受信情報表示部１２は、受信情報表示手段として機能する。
【００２５】
また、制御部１０は、情報受信部１１が受信した受信情報とは別に、一定の画面枠の一方の端部から他方の端部に向けて指定された速度で移動する移動表示情報を、この速度を指定する移動速度情報とともに受信する移動表示情報受信部１３を備える。記憶部２０は、受信情報・移動表示情報データベース２１のほか、移動速度情報データベース２２を備え、移動表示情報受信部１３が受信した情報のうち、移動表示情報の内容は受信情報・移動表示情報データベース２１に記憶され、移動速度情報の内容は移動速度情報データベース２２に記憶される。これら移動表示情報受信部１３、受信情報・移動表示情報データベース２１及び移動速度情報データベース２２は、移動表示情報受信手段として機能する。
【００２６】
ところで、受信情報・移動表示情報データベース２１は、図２に例示される。受信情報・移動表示情報データベース２１は、情報受信部１１が受信した受信情報及び移動表示情報受信部１３が受信した移動表示情報を記憶するデータベースであり、情報を受信した時刻を示す「受信時刻」フィールドと、情報の種類を識別する「情報ＩＤ」フィールドと、情報の内容を示す「内容」フィールドとを有する。
【００２７】
また、移動速度情報データベース２２は、図３に例示される。移動速度情報データベース２２は、移動表示情報受信部１３が受信した移動速度情報を記憶するデータベースであり、先に説明した「情報ＩＤ」フィールドと、一定の画面枠の一方の端部から他方の端部に向けて移動する際の指定された速度を示す「移動速度」フィールドとを有する。
【００２８】
本実施形態では、情報ＩＤ「Ａ」に属する情報は、情報受信部１１が受信した受信情報であることを示し、情報ＩＤ「Ｂ」以降に属する情報は、移動表示情報受信部１３が受信した移動表示情報であることを示す。情報ＩＤ「Ａ」に属する情報であれば、移送速度は「２０ピクセル／秒」なので、１秒間に２０ピクセルの速度で一定の画面枠の一方の端部から他方の端部に向けて移動するように表示する。これに対し、情報ＩＤ「Ｂ」に属する情報であれば、移送速度は「１０ピクセル／秒」なので、１秒間に１０ピクセルの速度で一定の画面枠の一方の端部から他方の端部に向けて移動するように表示する。また、情報ＩＤ「Ｃ」に属する情報であれば、移送速度は「５ピクセル／秒」なので、１秒間に５ピクセルの速度で一定の画面枠の一方の端部から他方の端部に向けて移動するように表示する。
【００２９】
本実施形態では、受信情報の移動速度を「ピクセル／秒」で表し、各情報は指定された移動速度でスクロールすることとしているが、これに限るものではなく、第２実施形態で説明するように、各情報を受信したタイミングで表示中の情報が移動することとして、移動速度は「ポジション／受信」で表してもよい。
【００３０】
なお、本実施形態に係る受信情報及び移動表示情報は、例えばＪａｖａＳｃｒｉｐｔ（登録商標）とＣＳＳを組み合わせたＤＨＴＭＬを用いて実現することができる。具体的には、＜ｄｉｖ＞タグで指定した情報表示範囲にＣＳＳを適用し、受信情報及び移動表示情報をスクロールさせるスクリプトプログラムを記載して動作させる。或いはＦｌａｓｈ（登録商標）等のベクターイメージを取り扱うソフトウェアを介して表示させてもよい。
【００３１】
図１に戻り、制御部１０は、移動表示情報受信部１３が時系列に受信した移動表示情報を受信情報と同時に表示する移動表示情報表示部１４を備える。移動表示情報表示部１４は、移動表示情報表示手段として機能する。移動表示情報は、一定の画面枠の一方の端部から他方の端部に向けて、移動速度情報データベース２３に記憶された速度で移動する。
【００３２】
さらに、制御部１０は、ユーザによる移動速度の指定操作に応じて、移動表示情報受信部１３が受信した移動速度情報の内容を変更する移動速度情報変更部１５を備える。この変更は、ユーザの指定操作に応じて、移動速度情報データベース２２に記憶された移動速度「ピクセル／秒」の書換えをすることによって行われる。これら移動速度情報変更部１５及び移動速度情報データベース２２は、移動速度情報変更手段として機能する。
【００３３】
［本実施形態のハードウェア及びソフトウェアの構成］
本実施形態のハードウェア及びソフトウェアの構成について説明する。端末１のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００３４】
端末１のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００３５】
［フローチャート］
図４は、本実施形態に係る端末１のフローチャートである。
【００３６】
情報受信部１１は、情報配信サーバ２から受信情報を受信したことに応じて、情報受信処理を行う（Ｓ１）。情報受信処理では、情報受信部１１は、情報配信サーバ２から受信した受信情報を時系列に受信し、その受信情報を受信情報・移動表示情報データベース２１に書き込む処理を実行する。
【００３７】
さらに、情報受信部１１は、情報配信サーバ２から移動表示情報を受信したことに応じて、移動表示情報受信処理を行う（Ｓ２）。移動表示情報受信処理では、移動表示情報受信部１３は、情報配信サーバ２から移動表示情報を受信情報・移動表示情報データベース２１及び移動速度情報データベース２２に書き込む処理を実行する。なお、ステップＳ１及びステップＳ２は情報配信サーバ２からそれぞれ情報を受信することに応じて順不同で実行される。
【００３８】
そして、受信情報表示部１２及び移動表示情報表示部１４は、受信情報・移動表示情報表示処理を行う（Ｓ３）。受信情報・移動表示情報表示処理では、受信情報表示部１２は、情報受信部１１が情報受信処理で時系列に受信した受信情報を、一定の画面枠の一方の端部から他方の端部に向けて、図３で示した移動速度情報データベース２２に記憶された移動速度で移動させながら順次表示する。また、移動表示情報表示部１４は、移動表示情報受信部１３が受信した移動表示情報を受信情報と同時に表示する。
【００３９】
そして、移動速度情報変更部１５は、制御部１０がユーザによる移動速度の指定操作を受け付けたことに応じて、移動表示情報受信部１３が受信した移動速度情報の内容を変更する処理を行う（Ｓ４）。具体的には、移動速度情報変更部１５は、ユーザの指定操作に応じて、移動速度情報データベース２２に記憶された移動速度情報の情報の書き換えを実行する。
【００４０】
そして、制御部１０は、一連の処理を終了するか否かを判別する（Ｓ５）。終了すると判別する場合、制御部１０は、一連の処理を終了する。一方、終了しないと判別する場合、制御部１０は、処理をステップＳ１に移す。
【００４１】
［本実施形態に係る端末１の実施例］
図５は、本実施形態に係る端末１、方法及びプログラムを実施したときの端末１の画面枠３０での表示例を示す図である。
【００４２】
端末１には、一定の画面枠３０が設けられている。情報受信部１１は、情報配信サーバ２からの受信情報を時系列に受信する。また、移動表示情報受信部１３は、受信情報とは別に、情報配信サーバ２からの移動表示情報を受信する。図２を例にすると、情報受信部１１は、３月２９日（以下同じ）の１２時４６分に、情報ＩＤ「Ａ」に属する「攻めろ！チャンスだ！」という受信情報を受信し、１２時４８分に、情報ＩＤ「Ａ」に属する「お、点が入るか？」という受信情報を受信する。一方、移動表示情報受信部１３は、１２時５０分に、情報ＩＤ「Ｂ」に属する「日経平均株価が○○円に回復する勢いです。」という移動表示情報を受信する。その際、受信情報及び移動表示情報は、受信情報・移動表示情報データベース２１に記憶され、移動速度情報は、移動速度情報データベース２２に記憶される。なお、図２を例にすると、情報受信部１１が受信した受信情報の情報ＩＤは「Ａ」であり、図３を例にすると、この情報ＩＤ「Ａ」に属する情報の移動速度は２０ピクセル／秒である。また、図２を例にすると、移動表示情報受信部１３が受信した移動表示情報の情報ＩＤは「Ｂ」であり、図３を例にすると、この情報ＩＤ「Ｂ」に属する情報の移動速度は１０ピクセル／秒である。
【００４３】
そして、受信情報表示部１２は、情報受信部１１が時系列に受信した受信情報を、一定の画面枠３０の一方の端部から他方の端部に向けて順次表示する。また、移動表示情報表示部１４は、移動表示情報受信部１３が受信した移動表示情報を受信情報と同時に表示する。図６の（１）は、時刻が１３時００分であるときの表示例を示し、画面枠３０の下方から順に、情報受信部１１が１２時４８分に受信した「お、点が入るか？？？」という受信情報、移動表示情報受信部１３が１２時５０分に受信した「次の日本代表戦、チケット発売は１０日１０時から。」という移動表示情報、情報受信部１１が１２時５３分に受信した「日本チャンス！」という受信情報、情報受信部１１が１２時５４分に受信した「がんばれ！ニッポン！」という受信情報、及び移動表示情報受信部１３が１２時５６分に受信した「新型ハイブリッド車××、発売は明日から。」という移動表示情報が表示されている。
【００４４】
続いて、受信情報表示部１２は、すでに受信し、表示している受信情報を、一定の画面枠３０の一方の端部から他方の端部であるに向けて、図３で示した移動速度情報データベース２２に記憶された移動速度で順次移動させる。本実施形態では、受信情報表示部１２が受信した受信情報の情報ＩＤは「Ａ」であり、移動速度は、２０ピクセル／秒である。一方、移動表示情報表示部１４は、移動表示情報受信部１３が受信した移動表示情報を、受信情報の移動速度とは異なる速度であって、予め指定された速度、具体的には、移動速度情報データベース２２に記憶された移動速度で移動する。本実施形態では、移動表示情報受信部１３が受信した移動表示情報の受信情報ＩＤは「Ｂ」であり、移動速度は、１０ピクセル／秒である。
【００４５】
図６の（２）は、時刻が１３時０５分であるときの表示例を示す。図２の例によると、１３時００分から０５分までの間に、情報受信部１１は、新たに、情報ＩＤ「Ａ」に属する「○○行けえ。シュートだあ。」という受信情報を受信し、また、情報ＩＤ「Ａ」に属する「打つか。打つか。」という受信情報を受信している。図３の例によると、情報ＩＤ「Ａ」に属する情報と情報ＩＤ「Ｂ」に属する情報とでは、移動速度が異なり、２つの情報を受信したことに応じて「新型ハイブリッド車××、発売は明日から。」という情報は、１０ピクセル／秒であるのに対し、「○○行けえ。シュートだあ。」という情報は、２０ピクセル／秒である。そのため、情報受信部１１が「打つか。打つか。」という受信情報を受信したことに応じて、画面枠３０には、「新型ハイブリッド車××、発売は明日から。」という情報と、「○○行けえ。シュートだあ。」という情報との順序が入れ替わって表示される。画面枠３０には、「次の日本代表戦、チケット発売は１０日１０時から。」という情報と、「日本チャンス！」という情報との順序が入れ替わって表示される。
【００４６】
図６の（３）は、時刻が１３時１０分であるときの表示例を示す。図２の例によると、１３時０５分から１０分までの間に、情報受信部１１は、新たに、情報ＩＤ「Ａ」に属する「ゴーーーーーーーール！！！」という受信情報を受信し、また、情報ＩＤ「Ａ」に属する「ＯＨＨＨＨＨＨＨＨ！」という情報を受信している。情報ＩＤ「Ａ」に属する情報と情報ＩＤ「Ｂ」に属する情報とでは、移動速度が異なるため、画面枠３０には、さらに、「新型ハイブリッド車××、発売は明日から。」という情報と、「打つか。打つか。」という情報との順序が入れ替わって表示される。また、「次の日本代表戦、チケット発売は１０日１０時から。」という情報と、「がんばれ！ニッポン！」という情報との順序が入れ替わって表示される。
【００４７】
本実施形態に記載の発明によると、受信情報が一定の画面枠３０の中を移動する速度よりも遅い移動速度が指定された移動表示情報については、受信情報よりも時間をかけて移動するため、一定の時間が経過しても、その画面枠３０から外れることなく、画面枠３０の中で表示し続ける。したがって、指定された移動速度に応じて、ユーザに対し、移動表示情報の内容を確実に伝えることができる端末１、方法及びプログラムを提供できる。
【００４８】
また、本実施形態に記載の発明では、ユーザによる移動速度の指定操作に応じて、移動表示情報受信部１３が受信した移動速度情報の内容を変更する移動速度情報変更部１５をさらに備えた。これによると、ユーザにとって重要な情報であるにも関わらず、他に比べて遅い移動速度に定められていない場合は、ユーザ自身の指定操作によって、その情報を、他に比べて遅い移動速度に指定できる。また、ユーザにとって重要な情報でないにも関わらず、他に比べて遅い移動速度に定められている場合は、ユーザ自身の指定操作によって、その情報を、他に比べて速い移動速度に指定できる。これにより、ユーザにとって重要な情報をいっそう確実に伝えることの可能な端末１、方法及びプログラムを提供できる。
【００４９】
なお、この場合においても、受信した受信情報によっては、ユーザ自身の指定操作による移動速度情報を変更を制限することもできる。例えば、特定の広告情報については、ユーザが任意に移動速度を速い移動速度に変更することができないようにすることもできる。
【００５０】
＜第２実施形態＞
続いて、本発明の第２の実施形態について説明する。第１の実施形態は、受信情報及び移動表示情報を画面枠３０の内部で自由自在に移動させるものであったが、第２の実施形態は、第１の実施形態とは異なり、画面枠３０の中に予め複数の表示領域３１ａ〜３１ｇを設け、一方の端部である先頭の表示領域３１ａから他方の端部である第７表示領域３１ｇに向けて受信情報及び移動表示情報を移動させるものである。以下、第２の実施形態の詳細について説明する。
【００５１】
［構成］
第２の実施形態に係る全体構成は、第１の実施形態に係る全体構成と同じであるが、移動速度情報データベース２２の詳細な構成が異なる。
【００５２】
［移動速度情報データベース］
第２の実施形態に係る移動速度情報データベース２２は、図６に例示される。第１の実施形態に係る移動速度情報データベース２２は、画面枠の内部の一定方向を単位時間あたりに移動するピクセル数を示す「ピクセル／秒」フィールドを有するものであったが、第２の実施形態に係る移動速度情報データベース２２は、一定の画面枠に予め配列した表示領域の先頭から移動する表示領域の数を分子（ポジション）とし、情報受信部１１が受信した受信情報の数を分母（受信数）とした値を示す「ポジション／受信数」フィールドを有するものである。
【００５３】
［第２の実施形態に係る端末１の実施例］
図８は、第２の実施形態に係る端末１、方法及びプログラムを実施したときの端末１の画面枠３０での表示例を示す図である。
【００５４】
画面枠３０には、予め配列した複数の表示領域３１ａ〜３１ｇが設けられている。情報受信部１１は、情報配信サーバ２からの受信情報を時系列に受信する。また、移動表示情報受信部１３は、受信情報とは別に、情報配信サーバ２からの移動表示情報を移動速度情報とともに受信する。図２を例にすると、情報受信部１１は、３月２９日（以下同じ）の１２時４６分に、情報ＩＤ「Ａ」に属する「攻めろ！チャンスだ！」という受信情報を受信し、１２時４８分に、情報ＩＤ「Ａ」に属する「お、点が入るか？」という受信情報を受信する。一方、移動表示情報受信部１３は、１２時５０分に、情報ＩＤ「Ｂ」に属する「日経平均株価が○○円に回復する勢いです。」という移動表示情報を、移動速度情報「３」とともに受信する。その際、受信情報及び移動表示情報は、受信情報・移動表示情報データベース２１に記憶され、移動速度情報は、移動速度情報データベース２２に記憶される。なお、図２を例にすると、情報受信部１１が受信した受信情報の情報ＩＤは「Ａ」であり、図６を例にすると、この情報ＩＤ「Ａ」に属する情報のポジション／受信数は１／１である。また、図２を例にすると、移動表示情報受信部１３が受信した移動表示情報の情報ＩＤは「Ｂ」であり、図６を例にすると、この情報ＩＤ「Ｂ」に属する情報のポジション／受信数は１／２である。
【００５５】
そして、受信情報表示部１２は、情報受信部１１が時系列に受信した受信情報を、一定の画面枠３０の一方の端部である先頭の表示領域３１ａから他方の端部である第７表示領域３１ｇに向けて、より詳しくは、先頭の表示領域３１ａから第２表示領域３１ｂ、第３表示領域３１ｃ、第４表示領域３１ｄ、第５表示領域３１ｅ、第６表示領域３１ｆ、第７表示領域３１ｇに向けて順次表示する。また、移動表示情報表示部１４は、移動表示情報受信部１３が受信した移動表示情報を受信情報と同時に表示する。図７の（１）は、時刻が１３時００分であるときの表示例を示し、第６表示領域３１ｆには、情報受信部１１が１２時４６分に受信した「攻めろ！チャンスだ！」という受信情報が表示され、第５表示領域３１ｅには、情報受信部１１が１２時４８分に受信した「お、点が入るか？？？」という受信情報が表示されている。同様に、第４表示領域３１ｄには、移動表示情報受信部１３が１２時５０分に受信した「次の日本代表戦、チケット発売は１０日１０時から。」という移動表示情報が表示され、第３表示領域３１ｃには、情報受信部１１が１２時５３分に受信した「日本チャンス！」という受信情報が表示されている。そして、第２表示領域３１ｂには、情報受信部１１が１２時５４分に受信した「がんばれ！ニッポン！」という受信情報が表示され、先頭の表示領域３１ａには、移動表示情報受信部１３が１２時５６分に受信した「新型ハイブリッド車××、発売は明日から。」という移動表示情報が表示されている。
【００５６】
続いて、受信情報表示部１２は、情報受信部１１が受信情報を受信する毎に、すでに受信し、表示している受信情報を、一定の画面枠３０の一方の端部である先頭の表示領域３１ａから他方の端部である第６表示領域３１ｆに向けて順次移動させる。一方、移動表示情報表示部１４は、移動表示情報受信部１３が受信した移動表示情報を、受信情報の移動速度とは異なる速度であって、予め指定された速度、具体的には、移動速度情報データベース２２に記憶された移動速度で移動する。本実施形態では、移動表示情報受信部１３が受信した移動表示情報の受信情報ＩＤは「Ｂ」であり、ポジション／受信数は１／２であるため、新たに情報を２つ受信する毎に、表示領域を１つ移動させる。
【００５７】
図７の（２）は、時刻が１３時０５分であるときの表示例を示す。図２の例によると、１３時００分から０５分までの間に、情報受信部１１は、新たに、情報ＩＤ「Ａ」に属する「○○行けえ。シュートだあ。」という受信情報を受信し、また、情報ＩＤ「Ａ」に属する「打つか。打つか。」という受信情報を受信している。図６の例によると、情報ＩＤ「Ａ」に属する情報と情報ＩＤ「Ｂ」に属する情報とでは、移動速度すなわちポジション／受信数の値が異なり、２つの情報を受信したことに応じて「新型ハイブリッド車××、発売は明日から。」という情報は、１の移動数となり、「○○行けえ。シュートだあ。」という情報は、２の移動数となる。そのため、情報受信部１１が「打つか。打つか。」という受信情報を受信したことに応じて、画面枠３０には、「新型ハイブリッド車××、発売は明日から。」という情報と、「○○行けえ。シュートだあ。」という情報との順序が入れ替わって表示される。画面枠３０には、「次の日本代表戦、チケット発売は１０日１０時から。」という情報と、「日本チャンス！」という情報との順序が入れ替わって表示される。
【００５８】
図７の（３）は、時刻が１３時１０分であるときの表示例を示す。図２の例によると、１３時０５分から１０分までの間に、情報受信部１１は、新たに、情報ＩＤ「Ａ」に属する「ゴーーーーーーーール！！！」という受信情報を受信し、また、情報ＩＤ「Ａ」に属する「ＯＨＨＨＨＨＨＨＨ！」という情報を受信している。情報ＩＤ「Ａ」に属する情報と情報ＩＤ「Ｂ」に属する情報とでは、移動速度が異なるため、画面枠３０には、さらに、「新型ハイブリッド車××、発売は明日から。」という情報と、「打つか。打つか。」という情報との順序が入れ替わって表示される。また、「次の日本代表戦、チケット発売は１０日１０時から。」という情報と、「がんばれ！ニッポン！」という情報との順序が入れ替わって表示される。
【００５９】
なお、第１及び第２の実施形態に記載された効果は、いずれも、本発明から生じる最も好適な効果を列挙したに過ぎず、本発明による効果は、これら第１及び第２の実施形態に記載されたものに限定されるものではない。
【符号の説明】
【００６０】
１  端末
２  情報配信サーバ
１０  制御部
１１  情報受信部
１２  受信情報表示部
１３  移動表示情報受信部
１４  移動表示情報表示部
２０  記憶部
２１  受信情報・移動表示情報データベース
２２  移動速度情報データベース
３０  画面枠
３１ａ〜３１ｇ  表示領域
【図１】
0005303529.tif 000002
【図２】
0005303529.tif 000003
【図３】
0005303529.tif 000004
【図４】
0005303529.tif 000005
【図５】
0005303529.tif 000006
【図６】
0005303529.tif 000007
【図７】
0005303529.tif 000008